(57)【特許請求の範囲】
【請求項１】
室内外を仕切る仕切り壁に、室内外を連通させる連通孔を備え、該連通孔の通風路内に室内外の圧力差に応じてスライド杆を摺動する可動板が摺動に応じて前記連通口を開閉又は通風面積を可変する自然換気装置において、可動板にスライド杆に付着した付着物を取り除く埃除去部材を設けたことを特徴とする建物の換気装置。
【請求項２】
上記埃除去部材は、円環状板体からなることを特徴とする請求項１記載の建物の換気装置。
【請求項３】
上記埃除去部材は、合成樹脂体からなることを特徴とする請求項１又は請求項２記載の建物の換気装置。
【発明の詳細な説明】
【０００１】
【発明が属する技術分野】
本発明は、建物の外壁面等に設けられた換気用開口部に設けられる可動板摺動軸の埃（ほこり）除去部材を有する建物換気装置に関し、特に、自然換気構造の換気用開口部に設けられた風量調整用可動板の摺動軸のほこり除去部を有する建物換気装置に関するものである。
【０００２】
【従来の技術】
本出願人は、集合住宅等において、障子を閉めたまま外気の風速（風圧）に拘わらず、常に一定の換気ができるように、窓枠間に窓開口部に沿って上下に長い換気スリットを形成し、該換気スリットを流れる換気流により、換気量を自動調整する可動羽根を設けた換気装置を提案している（特許文献１）。
また、本出願人は、室内の暖冷気が屋根裏に伝わり難く、屋外の風速により換気量が大きく変化せず安定的に換気できる自然換気装置を提供する目的で、換気量を自動調整する自動調整部材を、バネにより自動開閉するものも提案している（特許文献２）。
【０００３】
これらの可動羽根や自動調整部材による風量の調節は、風圧に応じて可動板をガイド棒に沿って移動させるものであるが、長期の使用によってガイド棒に埃等が付着し、円滑に移動しなくなることもある。
【０００４】
そこで、上記問題を解消するための手段として、自動掻き落し装置として、排気ダクトのダンパーであるが、粉塵を多量に含むガスを排気ダクトに使用して、ダンパー板に粉塵が付着・堆積してもコンダクタンスが低下せず、使用中でもコンダクタンスの変動無しに清掃が出来るようにするために、ダンパー板を往復進退動作させ、ダンパー板の進退動作にともない掻き落とし刃によりダンパー板に付着した付着物を掻き落とすようにしたものが提案されている（特許文献３）。しかしながら、この特許文献３に記載の技術も、別途駆動力を必要とするものであり、この技術を上記自然換気装置に適用した場合には、そのためのモータ等が必要になるという不利点がある。
【０００５】
【特許文献１】
特開２００１―２０６３２号公報
【０００６】
【特許文献２】
特開平１１―３２４５２５号公報
【０００７】
【特許文献３】
特開２０００−２４１０１２号公報
【０００８】
【発明が解決しようとする課題】
したがって、本発明の目的は、上記従来技術を更に改良したものであり、構造が簡単で、換気用開口部に設けられた可動板の摺動軸の付着物除去部材を設けた建物の換気装置を提供することにある。
【０００９】
【課題を解決するための手段】
本発明は、上記課題を達成するために、下記の手段を講じた。即ち、
請求項１記載の建物の換気装置は、室内外を仕切る仕切り壁に、室内外を連通させる連通孔を備え、該連通孔の通風路内に室内外の圧力差に応じてスライド杆を摺動する可動板が摺動に応じて前記連通口を開閉又は通風面積を可変する自然換気装置において、可動板にスライド杆に付着した付着物を取り除く埃除去部材を設けたことを特徴とする。
かかる特徴により、なんら動力を必要とせず自動で半永久的に可動板のスライド杆に付着する埃等の付着物を取り除くことができ、可動板が円滑に動く。
【００１０】
請求項２記載のほこり除去装置を備えた建物の換気装置は、請求項１記載の手段において、上記埃除去部材は、円環状板体からなることを特徴とする。
かかる特徴により、簡単な構成で、付着物の除去が可能となる。
【００１１】
請求項３記載の建物の換気装置は、請求項１又は請求項２記載の手段において、上記埃除去部材は、合成樹脂体からなることを特徴とする。
かかる特徴により、耐久性が大きく、軽量で低コストの付着物の埃除去部材とすることが可能となる。
【００１２】
【発明の実施の形態】
本実施形態のものは、例えば、特開２００１―２０６３２号公報（本出願人の出願・上記特許文献１参照）記載の連窓の途中に組み込まれた換気装置の換気スリットを流れる換気流により換気量を自動調整する可動羽根に適用されるものである。
【００１３】
実施形態について図面を参照しつつ説明する。図１は本実施形態の換気装置の水平断面図（Ａ）（図２のＡ−Ａ断面図）、及び、埃除去部材の斜視図（Ｂ）、図２は同換気装置の正面図、図３は同換気装置の縦断面図、図４は同換気装置の開口部カバーのロック部説明図で、閉状態（Ａ）と開状態（Ｂ）とを示す。また、図５は、（Ａ）（Ｂ）共、図４のＣ部説明図、図６は図３のＤ部（開閉案内部）の説明図、図７は図６の開閉案内部の平面図、図８は図６の開閉案内部の側面図、図９は図６の開閉案内部の正面図、図１０は案内アームの全体図、図１１は同案内アームの説明図、図１２は同案内アームの取付板の正面図である。また、図１３は同換気装置の作用説明図で、開口部カバーの閉時（Ａ）、開時で弱風時（Ｂ）と強風時（Ｃ）を示す。
なお、下記の説明において、各部材の位置を、図面を用いて説明するために左右上下の表現を用いるが、実際の位置関係はこれに限定されるものではない。
【００１４】
建物のサッシ枠（図外）には、図２に示すように、上下に長い空気取り入れ口としての開口部が形成され、該開口部の縁に沿って開口部枠１３が設けられている。この開口部枠１３には開口部カバー２０が設けられて閉止されているが、本実施形態はサッシ枠内に形成されている窓の開閉障子等が閉められた状態で換気を実現するために、開口部カバー２０を上記開口部枠１３から平行に引き離すことによって外気を室内外に出し入れする装置である。
【００１５】
上記開口部枠１３内には可動板１４が配置されている。上記可動板１４は、全体として所定厚みで円盤状に形成され、その中心部には軸方向に可動板支持筒体１４ａが配置・固定されている。また、該可動板支持筒体１４ａの両端部には、図１（Ｂ）に示すような埃除去部材６０が装着されている。また、開口部枠１３内の略中央位置に面外方向に断面略円形のスライド杆１４ｂが水平状に設けられ、このスライド杆１４ｂに可動板支持筒体１４ａが室内外方向に揺動可能に支持されている。
【００１６】
また、上記埃除去部材６０は、図１（Ｂ）に示すように、合成樹脂、例えば、アクリル樹脂、ポリアセタール等の柔軟な素材からなる円盤状の薄板からなり、その中心部の挿通孔６１はスライド杆１４ｂの断面の外形状と略同一の大きさに形成されている。また、その外形状は、図１（Ａ）及び図３に示すように、可動板支持筒体１４ａの両端面に接合することから、可動板支持筒体１４ａの両端面と略同一にすることが望ましい。
埃除去部材６０の挿通孔６１はスライド杆１４ｂと略同一の大きさで且つ可動板支持筒体１４ａの端部を覆っていることから、可動板支持筒体１４ａ内への埃の侵入を防ぐ効果もある。
【００１７】
上記スライド杆１４ｂの室外側には、図１，３に示すように、ゴム等の弾性素材からなり筒状で所定長さの可動板ストッパ１５が緩く嵌合されており、また、スライド杆１４ｂの室内側にはコイル状の可動板支持バネ１６が伸縮可能に嵌合されており、これらの可動板ストッパ１５と可動板支持バネ１６との間に可動板１４が嵌合・配置されることになる。そして、通常は、可動板１４は可動板支持バネ１６の弾発力により、可動板ストッパ１５の室内側端部に圧接されている。そして、可動板１４は、室外側（可動板ストッパ１５側）からの風圧力に応じて、可動板支持バネ１６の弾力に抗して室内側に移動することになる。
【００１８】
上記可動板１４により、室内外からの風速（風圧）を和らげて案内する機能を有しているが、更に、可動板ストッパ１５及び可動板支持バネ１６の配置によって、可動板１４に風圧が作用しない状態では案内部支持枠１２の中央部に弾力的に配置され、また、室外からの風圧に応じて、可動板１４は室内側に移動して、風の通過面積を減少させる。
【００１９】
そして、この可動板１４の移動（スライド）により、埃除去部材６０がスライド杆１４ｂの表面を摺接することになるから、スライド杆１４ｂの表面に埃が付着している場合は掃き落とすことになる。したがって、埃除去部材６０が可動板１４の移動のたびに、スライド杆１４ｂの表面が清掃されるから、管理上の手間が全く不要となる効果がある。
【００２０】
なお、可動板支持筒体１４ａの内面には、スライド杆１４ｂ上を摺動する際の滑り抵抗がほとんどないように、ボールベアリングを配置することが望ましい。また、スライド杆１４ｂの断面形状は必ずしも円形である必要は無く、方形状、三角形状、多角形状であってもよい。なお、スライド杆１４ｂの断面形状に合わせて、埃除去部材６０の挿通孔６１の形状も合わせる必要があることは言うまでもない。
【００２１】
上記開口部枠１３の室外側には、図３に示されるように、ネット１７が配置されるとともに、その更に室外側には案内枠１８ａを介して室外カバー１８が固定されている。該室外カバー１８は、化粧板としての機能及び風雨が直接に開口部枠１３内に吹き込まないようにする機能を有するものである。そしてこれらの開口部枠１３はサッシ枠を構成する上枠１９ａと下枠１９ｂの間に配置されている。なお、開口部枠１３には図１に示すように、その通風路を形成する左右の案内部支持枠１２が開口部枠１３と一体に形成されるとともに、室内側には方形状の板体からなるロック枠１１が取り付けられている。
【００２２】
上記開口部枠１３の室内側には、室内外方向に平行移動して開閉される開口部カバー２０が設けられる。該開口部カバー２０は、図３に示すように、上下に長い開口部の全体をカバーしており、その内部には補強用のアングル材２１が配置され、該開口部カバー２０の室内側には、操作ハンドル５０がハンドル支持部５１を介して所定の角度で回動自在に軸着されているとともに、その室外側（開口部枠１３側）の上下には図３及び図６に示すように、所定の間隔をおいて棒状の案内アーム２２が開口部枠１３内に突出状態で装着されている。
【００２３】
案内アーム２２は、図１０及び図１１に示すように、全体として断面円形の棒状体であり、その取付端部２２ｂには案内アーム取付板２４が取り付けられている。また、案内アーム２２の一部には、図１０，１１に示すように、所定長さに渡って径小平面部２２ａがその左右に設けられている。そして、この案内アーム取付板２４の中心部に形成されたアーム取付孔２４ａには、上記案内アーム取付板２４が直角状に取り付けられる。また、図１２に示すように、案内アーム取付板２４の周部にはカバー取付孔２４ｂが穿設され、該カバー取付孔２４ｂによって案内アーム取付板２４は開口部カバー２０に取り付けられる。
【００２４】
次に、開閉案内部３０について説明する。該開閉案内部３０は上記開口部枠１３側に装着され、上記案内アーム２２を支持・案内することで開口部カバー２０を開口部枠１３に対して離接・固定可能に構成するものである。開口部枠１３の室内側端面には、図７乃至図９ に示すように、案内部基板３１が取り付けられる。該案内部基板３１は、図９に示すように、左右に長い長方形状に形成され、その左右の縁近傍には取付ビス孔３１ａが穿設されるとともにその中心部にはストッパ３２が配置されている。
【００２５】
該ストッパ３２は合成樹脂を素材とする略正方形の板体で、その一側部（右側）には円柱状の突部３２ａが一体に形成されるとともに、その中心部には、案内アーム２２を挿通する案内アーム用孔３２ｂが形成され、更に、その両側には左右に所定長さの左右案内長孔３２ｃが平行に形成されている。なお、上記案内アーム用孔３２ｂは、特に図９に示すように、正面視円形と長方形の組み合わせ形状となっており、ストッパ３２に外力を加えない限り、バネ３６により長方形状部が、シリンダ３３の前面に位置している（図９に示す状態）。
また、図６乃至図８に示すように、案内部基板３１の室外側（開口部枠１３内）には、所定長さのシリンダ３３が直角状に取り付けられ、該シリンダ３３の室外端は開口部枠１３の室外側に取り付けられている取付板３７に支持されている。そして、前記シリンダ３３内に開口部カバー２０側の前記案内アーム２２が水平に移動可能に挿通されることになる。
【００２６】
また、図８，９に示すように、前記案内部基板３１の上下部には案内ピン３５が植設され、該案内ピン３５は前記左右案内長孔３２ｃに挿通されている。また、前記突部３２ａの外周にはバネ３６が配置され、該バネ３６の右端はストッパ３２の右部に設けられたガイド板３４に当接されている。なお、図７において、符号３８はストッパ３２内に配置されたガイド枠である。
【００２７】
上記構成により、図６，７に示すように、開口部カバー２０側に直角に取り付けられている案内アーム２２は、図９に示すように案内アーム用孔３２ｂからシリンダ３３に差し込まれる。この時、ストッパ３２をバネ３６に抗して右方にスライドすることによって、案内アーム用孔３２ｂの円形部を介して案内アーム２２はシリンダ３３に挿入される。この状態において開口部カバー２０は開口部枠１３に対して遠近方向に平行移動が可能となる。また、開口部カバー２０を開閉案内部３０から離しても、上記径小平面部２２ａ端部の段部２２ｃがストッパ３２の案内アーム用孔３２ｂの長方形部に係合・当接するため、案内アーム２２が開閉案内部３０から抜けてしまうことはない。なお、上記段部２２ｃの形状は、図示のものに限定されるものではなく、案内アーム２２のストップ作用があるものであれば、なだらかな段部２２ｃであってもよい。
【００２８】
案内アーム２２をシリンダ３３から抜き出し完全に分離するためには、ストッパ３２をバネ３６に抗して右側に移動させ、径小平面部２２ａがストッパ３２に係合しないようにすることによって可能となる。
【００２９】
次にロック部４０について、図４（Ａ）（Ｂ）及び図５（Ａ）（Ｂ）を用いて説明する。ロック部４０は開口部カバー２０を開口部枠１３から最も離れた位置（開状態・図４（Ｂ））及び最も近接して当接する位置（閉状態・図４（Ａ））の両位置において、ロック（移動不可状態）するものである。ロック部４０は方形状の板体からなるベース４１を介して開口部カバー２０の室外側に装着されている。図５（Ａ）において、符号４２ａは、ロック部４０の開口部カバー２０への取付枠である。図５（Ｂ）に示すように、上記ベース４１の中心部には軸穴（符号なし）が形成され、操作ハンドル５０の回転軸（符号なし）とロック部４０側の軸４２とが取付枠４２ａ内において連動するように構成される。前記軸４２には、図５（Ａ）に示すように、ジョイント４３が配置され、該ジョイント４３に対して閉ロックプレート４５ａ及び開ロックプレート４５ｂがワッシャを介してビス４６ａにより固定されている。
【００３０】
また、開ロックプレート４５ｂの背面にはゴム板４４がビス４６ｂにより装着されている。なお、このゴム板４４は、図４に示すように近傍に配置されている可動板１４が風等により移動して衝突した場合の緩衝用のものである。
特に、図５（Ａ）に示すように、閉ロックプレート４５ａ及び開ロックプレート４５ｂは一体物として形成され、その一端が湾曲して閉ロックプレート４５ａを形成し、その他端が同様に湾曲して開ロックプレート４５ｂを形成している。そして、図４（Ａ）に示すように、操作ハンドル５０によって軸４２を回動させると、閉ロックプレート４５ａがロック枠１１の室外側に係合させる。この係合により、開口部カバー２０はロック（閉状態ロック）となる（なお、この状態における開口部カバー２０の位置は、図１（Ａ）の実線参照）。
【００３１】
この状態（閉状態ロック）から操作ハンドル５０を回動し、閉ロックプレート４５ａとロック枠１１との係合を解除することによって開口部カバー２０は開口部枠１３に対して離接（開閉）可能となる。
開口部カバー２０が開口部枠１３から最も離れた状態において、操作ハンドル５０を逆方向に回動することによって、図４（Ｂ）に示すように、開ロックプレート４５ｂがロック枠１１の室内側に係合・当接することで、開口部カバー２０がロック枠１１から最も離れた状態においてロック（開ロック）されることになる（なお、この状態における開口部カバー２０の位置は図１（Ｂ）の破線参照）。
【００３２】
この状態において、操作ハンドル５０をわずかに逆回動することによって、ロック枠１１に対する開ロックプレート４５ｂの係合が外れ、開口部カバー２０はロック枠１１に対して離接・摺動が可能となる（図１（Ａ）の矢印参照）。なお、図５（Ｂ）において符号２３は、操作ハンドル５０の回転規制長孔である。
【００３３】
以上のように、本実施の形態の建物の換気装置は、室内外を仕切る仕切り壁に、室内外を連通させる開口部を備え、該開口部の通風路内に室内外の圧力差に応じて可動板２０はスライド杆１４ｂに沿って摺動する。即ち、開口部カバー２０の閉時は、室内外の通風は遮断され（図１３（Ａ））、開口部カバー２０が開で弱風の時は、可動板２０はスライド杆の略中央部に位置し（図１３（Ｂ））、開口部カバー２０が開で強風の時は、可動板２０はスライド杆に沿って室内側に移動する（図１３（Ｃ））。この間、可動板２０にスライド杆１４ｂに付着した付着物を取り除く埃除去部材６０を設けたことで、なんら動力を必要とせず半永久的に円滑に可動板のスライド杆に付着する埃等の付着物を取り除くことができる。
【００３４】
更に、本発明は、埃除去部材を円環状板体から構成したことで、簡単な構成で、付着物の除去が可能となる。また、本発明は、上記埃除去部材を、合成樹脂体を素材としたことで、耐久性が大きく、軽量で低コストの付着物の埃除去部材とすることが可能となる。
【００３５】
【発明の効果】
本発明は、上記構成により、簡単な構成で耐久性が大きく、メンテナンスフリーで低コストの埃除去部材を有する建物の換気装置の実現が可能となった。
【図面の簡単な説明】
【図１】本実施形態の換気装置の水平断面図（Ａ）（図２のＡ−Ａ断面図）、及び、埃除去部材の斜視図（Ｂ）。
【図２】同換気装置の正面図。
【図３】同換気装置の縦断面図。
【図４】換気装置の開口部カバーのロック部説明図で、閉状態（Ａ）と開状態（Ｂ）とを示す。
【図５】（Ａ）（Ｂ）共、図４のＣ部説明図。
【図６】図３のＤ部（開閉案内部）の説明図。
【図７】図６の開閉案内部の平面図。
【図８】図６の開閉案内部の側面図。
【図９】図６の開閉案内部の正面図。
【図１０】実施形態における案内アームの全体図。
【図１１】同案内アームの説明図。
【図１２】同案内アームの取付板の正面図。
【図１３】同換気装置の作用説明図で、開口部カバーの閉時（Ａ）、開時で弱風時（Ｂ）、及び、強風時（Ｃ）を示す。
【符号の説明】
１１・・ロック枠    １２・・案内部支持枠        １３・・開口部枠
１４・・可動板      １４ａ・・可動板支持筒体    １４ｂ・・スライド杆
１５・・可動板ストッパ  １６・・可動板支持バネ
１７・・ネット      １８・・室外カバー  １８ａ・・（室外カバーの）案内枠
１９ａ・・上枠      １９ｂ・・下枠
２０・・開口部カバー      ２１・・アングル材
２２・・案内アーム  ２２ａ・・径小平面部      ２２ｂ・・取付端部
２２ｃ・・段部      ２３・・回転規制長孔      ２４・・案内アーム取付板
２４ａ・・アーム取付孔    ２４ｂ・・カバー取付孔
３０・・開閉案内部        ３１・・案内部基板
３１ａ・・取付ビス孔      ３２・・ストッパ    ３２ａ・・突部
３２ｂ・・案内アーム用孔  ３２ｃ・・左右案内長孔
３３・・シリンダ          ３４・・ガイド板      ３５・・案内ピン
３６・・バネ              ３７・・取付板        ３８・・ガイド枠
４０・・ロック部          ４１・・ベース        ４２・・軸
４２ａ・・取付枠          ４３・・ジョイント    ４４・・ゴム板
４５ａ・・閉ロックプレート        ４５ｂ・・開ロックプレート
４６ａ，４６ｂ・・ビス
５０・・操作ハンドル      ５１・・ハンドル支持部
６０・・埃除去部材        ６１・・挿通孔
【図１】
0003682879.tif 000002
【図２】
0003682879.tif 000003
【図３】
0003682879.tif 000004
【図４】
0003682879.tif 000005
【図５】
0003682879.tif 000006
【図６】
0003682879.tif 000007
【図７】
0003682879.tif 000008
【図８】
0003682879.tif 000009
【図９】
0003682879.tif 000010
【図１０】
0003682879.tif 000011
【図１１】
0003682879.tif 000012
【図１２】
0003682879.tif 000013
【図１３】
0003682879.tif 000014